(57)【要約】【課題】エリア限定ワンセグのような小規模範囲に限定された放送チャネルであっても、端末を操作するユーザに対して選局を誘導することができる方法等を提供する。【解決手段】第１の端末が、放送チューナ部を制御する放送チューナ部を起動し、チューナアプリケーションによって、放送チューナ部を用いて、現在位置で受信可能な放送データをスキャンする。そして、第１の端末が、測位された現在位置と、スキャンできた放送データのチャネル番号及び／又はスキャンできなかった放送データのチャネル番号とを含むスキャン情報を、選局情報サーバへ送信する。これに対し、第２の端末が、選局情報サーバから、位置に基づいて受信可能な放送データのチャネル番号を含む選局情報を受信する。そして、第２の端末が、選局情報に基づいて、当該位置に基づいて受信可能な放送データのチャネル番号を、ユーザインタフェースに明示する。【選択図】図３
2011182273.tif 000002
【特許請求の範囲】
【請求項１】
複数の地上デジタル放送局からの放送データを受信する放送チューナ部、及び、現在位置を測位する測位部を有する複数の端末と、
前記端末とネットワークを介して通信する選局情報サーバと
を有するシステムにおける端末の放送選局方法において、
第１の端末が、前記放送チューナ部とその放送チューナ部を制御するチューナアプリケーションとを起動する第１のステップと、
第１の端末が、前記チューナアプリケーションによって、前記放送チューナ部を用いて、現在位置で受信可能な放送データをスキャンする第２のステップと、
第１の端末が、測位された現在位置と、スキャンできた放送データのチャネル番号及び／又はスキャンできなかった放送データのチャネル番号とを含むスキャン情報を、前記選局情報サーバへ送信する第３のステップと、
第２の端末が、前記選局情報サーバから、位置に基づいて受信可能な放送データのチャネル番号を含む選局情報を受信する第４のステップと、
第２の端末が、前記選局情報に基づいて、当該位置に基づいて受信可能な放送データのチャネル番号を、ユーザインタフェースに明示する第５のステップと
を有することを特徴とする端末の放送選局方法。
【請求項２】
前記端末は、携帯端末であり、
前記携帯端末の前記放送チューナ部は、ワンセグチューナであり、
前記地上デジタル放送局は、広域ワンセグ放送局及びエリア限定ワンセグ放送局であることを特徴とする請求項１に記載の端末の放送選局方法。
【請求項３】
前記携帯端末は、ＢＣＭＣＳ(Broadcast/Multicast Services)によって前記選局情報を受信することを特徴とする請求項２に記載の端末の放送選局方法。
【請求項４】
第４のステップについて、第２の端末が、前記測位部によって測位された現在位置を含む選局情報要求を、前記ネットワークを介して選局情報サーバへ送信し、この応答として、前記選局情報サーバから、位置に基づいて受信可能な放送データのチャネル番号を含む選局情報を受信することを特徴とする請求項１から３のいずれか１項に記載の端末の放送選局方法。
【請求項５】
第４のステップについて、第２の端末が、前記選局情報に含まれる受信可能な放送データをスキャンし、スキャンできなかった放送データのチャネル番号を含むスキャン情報を、前記選局情報サーバへ送信することを特徴とする請求項１から３のいずれか１項に記載の端末の放送選局方法。
【請求項６】
第２のステップについて、第１の端末の前記チューナアプリケーションは、前記放送チューナ部を用いて、フォアグラウンドで、ユーザによって選択された所望チャネルの地上波信号に同調して受信し且つ再生すると共に、バックグラウンドで、現在位置で受信可能なチャネルをスキャンすることを特徴とする請求項１から５のいずれか１項に記載の端末の放送選局方法。
【請求項７】
複数の地上デジタル放送局からの放送データを受信する放送チューナ部、現在位置を測位する測位部、及び、ネットワークを介して選局情報サーバと通信する通信インタフェースとを有し、放送チャネルを選局する端末であって、
前記放送チューナ部を制御し、現在位置で受信可能な放送データをスキャンするチューナアプリケーションと、
前記放送チューナ部を起動するチューナ起動手段と、
測位された現在位置と、スキャンできた放送データのチャネル番号及び／又はスキャンできなかった放送データのチャネル番号とを含むスキャン情報を、前記選局情報サーバへ送信するスキャン情報送信手段と、
前記選局情報サーバから、位置に基づいて受信可能な放送データのチャネル番号を含む選局情報を受信する選局情報受信手段と、
前記選局情報に基づいて、当該位置に基づいて受信可能な放送データのチャネル番号を、ユーザインタフェースに明示するチャネル番号明示手段と
を有することを特徴とする端末。
【請求項８】
当該端末は、携帯端末であり、
前記携帯端末の前記放送チューナ部は、ワンセグチューナであり、
前記地上デジタル放送局は、広域ワンセグ放送局及びエリア限定ワンセグ放送局であることを特徴とする請求項７に記載の端末。
【請求項９】
前記携帯電話機は、ＢＣＭＣＳによって前記選局情報を受信することを特徴とする請求項８に記載の端末。
【請求項１０】
前記測位部によって測位された現在位置を含む選局情報要求を、前記選局情報サーバへ送信する選局情報要求送信手段を更に有することを特徴とする請求項７又は８に記載の端末。
【請求項１１】
請求項７から９のいずれか１項に記載の端末と、ネットワークを介して通信する選局情報サーバであって、
前記端末から、測位された現在位置と、スキャンできた放送データのチャネル番号及び／又はスキャンできなかった放送データのチャネル番号とを含むスキャン情報を受信するスキャン情報受信手段と、
前記位置に基づいて、スキャンできた放送データのチャネル番号及び／又はスキャンできなかった放送データのチャネル番号を記憶するチャネル番号記憶手段と、
位置に基づくチャネル番号を含む選局情報を、前記ネットワークを介して前記端末へ送信する選局情報送信手段と
を有することを特徴とする選局情報サーバ。
【請求項１２】
請求項１０に記載の端末と、ネットワークを介して通信する選局情報サーバであって、
前記端末から、測位された現在位置と、スキャンできた放送データのチャネル番号及び／又はスキャンできなかった放送データのチャネル番号とを含むスキャン情報を受信するスキャン情報受信手段と、
前記位置に基づいて、スキャンできた放送データのチャネル番号及び／又はスキャンできなかった放送データのチャネル番号を記憶するチャネル番号記憶手段と、
前記端末から、測位された現在位置を含む選局情報要求を受信する選局情報要求受信手段と、
前記選局情報要求を受信した際に、位置に基づくチャネル番号を含む選局情報を、前記ネットワークを介して前記端末へ送信する選局情報送信手段と
を有することを特徴とする選局情報サーバ。
【請求項１３】
複数の地上デジタル放送局からの放送データを受信する放送チューナ部、現在位置を測位する測位部、及び、ネットワークを介して選局情報サーバと通信する通信インタフェースとを有し、放送チャネルを選局する端末に搭載されたコンピュータを機能させるプログラムであって、
前記放送チューナ部を制御し、現在位置で受信可能な放送データをスキャンするチューナアプリケーションと、
前記放送チューナ部を起動するチューナ起動手段と、
測位された現在位置と、スキャンできた放送データのチャネル番号及び／又はスキャンできなかった放送データのチャネル番号とを含むスキャン情報を、前記選局情報サーバへ送信するスキャン情報送信手段と、
前記選局情報サーバから、位置に基づいて受信可能な放送データのチャネル番号を含む選局情報を受信する選局情報受信手段と、
前記選局情報に基づいて、当該位置に基づいて受信可能な放送データのチャネル番号を、ユーザインタフェースに明示するチャネル番号明示手段と
してコンピュータを機能させることを特徴とする端末用プログラム。
【発明の詳細な説明】
【技術分野】
【０００１】
本発明は、端末を操作するユーザに対して、放送チャネルの選局を誘導する技術に関する。
【背景技術】
【０００２】
現在、日本国内では、地上デジタル放送(ARIB(社団法人電波産業会) ISDB-T)が提供されている。地上デジタル放送は、ＵＨＦ帯４７０ＭＨｚ〜７７０ＭＨｚを５０チャネル（１３〜６２）に区分し、１チャネルの周波数帯域幅６ＭＨｚを１３セグメントに区分した構造を有する。また、携帯端末を対象として、「携帯電話・移動体端末向けの１セグメント部分受信サービス」（以下「ワンセグ(1seg)」という」）が提供されている。「ワンセグ」は、固定向け放送と同様に、広域（都道府県単位など）向けに放送されている。
【０００３】
放送データを受信する端末は、一般的に、能動的に周辺電波をスキャンし、放送チューナ部に対してチャネルプリセットを実行する。チャネルプリセットとは、スキャンできた放送データチャネルを、そのチャネルリストに登録する操作をいう。これによって、その端末を操作するユーザは、チャネルリストに登録された１つ以上のチャネルの中で、視聴を所望するチャネルを選択することができる。
【０００４】
これに対し、近年、小規模（半径：数十ｍ〜１ｋｍ程度）のエリアに限定して、小電力で送信する「エリア限定ワンセグ」を実用化していこうという動きがある。エリア限定ワンセグとは、既存の「ワンセグ」技術を用いて、特定エリアに限定した独自の放送コンテンツを配信するサービスをいう。現在の放送制度は、広域ワンセグ放送に対する放送免許が基本となっているが、今後、エリア限定ワンセグのような放送に対しても免許を付与することが検討されている。現状、エリア限定ワンセグ放送は、実験試験局免許を取得して試験的に実施されるか、又は、電波法に基づく微弱電波を用いて放送免許を必要としない極めて限られたエリア（半径：数十ｃｍ程度）で実施することになる。エリア限定ワンセグでは、店舗や観光施設、映画館など、限定されたエリア内に、ワンセグ対応の携帯端末（例えば携帯電話機）を所持する来場者向けに、独自の放送コンテンツを配信することができる。
【０００５】
また、エリア限定ワンセグ放送局は、小型且つ簡易なものであって、エンコード処理及び放送多重化処理を実行する機能をソフトウェア化してパーソナルコンピュータのような装置に組み込んだコンテンツ配信装置と、放送信号を小電力の電波で送信する無線送信機とから構成される。エリア限定ワンセグ放送局は、例えば地上から６メートル程度の高さのアンテナから３ｍＷ程度の電波で送信し、およそ半径２００〜３００メートル程度の範囲をカバーすることができる。
【０００６】
図１は、従来技術における地上デジタル放送のシステム構成図である。
【０００７】
図１によれば、携帯端末１に対して、広域をカバーする広域ワンセグ放送局２と、狭域をカバーするエリア限定ワンセグ放送局３とによって、複数のチャネルの放送データが配信される。携帯端末１は、広域ワンセグ放送も、エリア限定ワンセグ放送も、同様の放送チューナ部によって受信することができる。図１によれば、携帯端末Ａは、広域ワンセグ放送局２からの放送データだけでなく、２つのエリア限定ワンセグ放送局３からの放送データも受信することができる。
【先行技術文献】
【非特許文献】
【０００８】
【非特許文献１】兵庫エリア限定ワンセグ放送実験協議会、「姫路スイーツワン  実証実験報告書」、[online]、［平成２２年２月１６日検索］、インターネット＜URL:http://web.pref.hyogo.jp/contents/000111729.pdf＞
【非特許文献２】「CATVと連携した地域限定放送─JCN中野とKDDIのエリアワンセグ実験」、[online]、［平成２２年２月１６日検索］、インターネット＜URL: http://plusd.itmedia.co.jp/mobile/articles/0810/14/news084.html＞
【発明の概要】
【発明が解決しようとする課題】
【０００９】
放送エリアが、都道府県単位の広範囲なものである場合、携帯端末は、一般的な行動範囲であれば、頻繁にチャネルプリセットを実行する必要はない。しかしながら、エリア限定ワンセグでは、地上デジタル放送の空きチャネルを使って放送されるために、各エリアで使用されるチャネルが異なる。エリア限定ワンセグは、小規模範囲でのみ利用可能なチャネルであるために、ユーザは、その範囲内に滞在するときにその都度、放送チャネルを設定しなければならない。
【００１０】
そこで、本発明は、エリア限定ワンセグのような小規模範囲に限定された放送チャネルであっても、端末を操作するユーザに対して選局を誘導することができる方法、端末、サーバ及びプログラムを提供することを目的とする。
【課題を解決するための手段】
【００１１】
本発明によれば、複数の地上デジタル放送局からの放送データを受信する放送チューナ部、及び、現在位置を測位する測位部を有する複数の端末と、
端末とネットワークを介して通信する選局情報サーバと
を有するシステムにおける端末の放送選局方法において、
第１の端末が、放送チューナ部とその放送チューナ部を制御するチューナアプリケーションとを起動する第１のステップと、
第１の端末が、チューナアプリケーションによって、放送チューナ部を用いて、現在位置で受信可能な放送データをスキャンする第２のステップと、
第１の端末が、測位された現在位置と、スキャンできた放送データのチャネル番号及び／又はスキャンできなかった放送データのチャネル番号とを含むスキャン情報を、選局情報サーバへ送信する第３のステップと、
第２の端末が、選局情報サーバから、位置に基づいて受信可能な放送データのチャネル番号を含む選局情報を受信する第４のステップと、
第２の端末が、選局情報に基づいて、当該位置に基づいて受信可能な放送データのチャネル番号を、ユーザインタフェースに明示する第５のステップと
を有することを特徴とする。
【００１２】
本発明の端末の放送選局方法における他の実施形態によれば、
端末は、携帯端末であり、
携帯端末の放送チューナ部は、ワンセグチューナであり、
地上デジタル放送局は、広域ワンセグ放送局及びエリア限定ワンセグ放送局であることも好ましい。
【００１３】
本発明の端末の放送選局方法における他の実施形態によれば、携帯端末は、ＢＣＭＣＳ(Broadcast/Multicast
Services)によって選局情報を受信することも好ましい。
【００１４】
本発明の端末の放送選局方法における他の実施形態によれば、第４のステップについて、第２の端末が、測位部によって測位された現在位置を含む選局情報要求を、ネットワークを介して選局情報サーバへ送信し、この応答として、選局情報サーバから、位置に基づいて受信可能な放送データのチャネル番号を含む選局情報を受信することも好ましい。
【００１５】
本発明の端末の放送選局方法における他の実施形態によれば、第４のステップについて、第２の端末が、選局情報に含まれる受信可能な放送データをスキャンし、スキャンできなかった放送データのチャネル番号を含むスキャン情報を、選局情報サーバへ送信することも好ましい。
【００１６】
本発明の端末の放送選局方法における他の実施形態によれば、第２のステップについて、第１の端末のチューナアプリケーションは、放送チューナ部を用いて、フォアグラウンドで、ユーザによって選択された所望チャネルの地上波信号に同調して受信し且つ再生すると共に、バックグラウンドで、現在位置で受信可能なチャネルをスキャンすることも好ましい。
【００１７】
本発明によれば、複数の地上デジタル放送局からの放送データを受信する放送チューナ部、現在位置を測位する測位部、及び、ネットワークを介して選局情報サーバと通信する通信インタフェースとを有し、放送チャネルを選局する端末であって、
放送チューナ部を制御し、現在位置で受信可能な放送データをスキャンするチューナアプリケーションと、
放送チューナ部を起動するチューナ起動手段と、
測位された現在位置と、スキャンできた放送データのチャネル番号及び／又はスキャンできなかった放送データのチャネル番号とを含むスキャン情報を、選局情報サーバへ送信するスキャン情報送信手段と、
選局情報サーバから、位置に基づいて受信可能な放送データのチャネル番号を含む選局情報を受信する選局情報受信手段と、
選局情報に基づいて、当該位置に基づいて受信可能な放送データのチャネル番号を、ユーザインタフェースに明示するチャネル番号明示手段と
を有することを特徴とする。
【００１８】
本発明の端末における他の実施形態によれば、
当該端末は、携帯端末であり、
携帯端末の放送チューナ部は、ワンセグチューナであり、
地上デジタル放送局は、広域ワンセグ放送局及びエリア限定ワンセグ放送局であることも好ましい。
【００１９】
本発明の端末における他の実施形態によれば、携帯電話機は、ＢＣＭＣＳによって選局情報を受信することも好ましい。
【００２０】
本発明の端末における他の実施形態によれば、測位部によって測位された現在位置を含む選局情報要求を、選局情報サーバへ送信する選局情報要求送信手段を更に有することも好ましい。
【００２１】
本発明によれば、前述した端末と、ネットワークを介して通信する選局情報サーバであって、
端末から、測位された現在位置と、スキャンできた放送データのチャネル番号及び／又はスキャンできなかった放送データのチャネル番号とを含むスキャン情報を受信するスキャン情報受信手段と、
位置に基づいて、スキャンできた放送データのチャネル番号及び／又はスキャンできなかった放送データのチャネル番号を記憶するチャネル番号記憶手段と、
位置に基づくチャネル番号を含む選局情報を、ネットワークを介して端末へ送信する選局情報送信手段と
を有することを特徴とする。
【００２２】
本発明によれば、前述した端末と、ネットワークを介して通信する選局情報サーバであって、
端末から、測位された現在位置と、スキャンできた放送データのチャネル番号及び／又はスキャンできなかった放送データのチャネル番号とを含むスキャン情報を受信するスキャン情報受信手段と、
位置に基づいて、スキャンできた放送データのチャネル番号及び／又はスキャンできなかった放送データのチャネル番号を記憶するチャネル番号記憶手段と、
端末から、測位された現在位置を含む選局情報要求を受信する選局情報要求受信手段と、
選局情報要求を受信した際に、位置に基づくチャネル番号を含む選局情報を、ネットワークを介して端末へ送信する選局情報送信手段と
を有することを特徴とする。
【００２３】
本発明によれば、複数の地上デジタル放送局からの放送データを受信する放送チューナ部、現在位置を測位する測位部、及び、ネットワークを介して選局情報サーバと通信する通信インタフェースとを有し、放送チャネルを選局する端末に搭載されたコンピュータを機能させるプログラムであって、
放送チューナ部を制御し、現在位置で受信可能な放送データをスキャンするチューナアプリケーションと、
放送チューナ部を起動するチューナ起動手段と、
測位された現在位置と、スキャンできた放送データのチャネル番号及び／又はスキャンできなかった放送データのチャネル番号とを含むスキャン情報を、選局情報サーバへ送信するスキャン情報送信手段と、
選局情報サーバから、位置に基づいて受信可能な放送データのチャネル番号を含む選局情報を受信する選局情報受信手段と、
選局情報に基づいて、当該位置に基づいて受信可能な放送データのチャネル番号を、ユーザインタフェースに明示するチャネル番号明示手段と
してコンピュータを機能させることを特徴とする。
【発明の効果】
【００２４】
本発明の放送選局方法、端末、サーバ及びプログラムによれば、エリア限定ワンセグのような小規模範囲に限定された放送チャネルであっても、端末を操作するユーザに対して選局を誘導することができることができる。
【図面の簡単な説明】
【００２５】
【図１】従来技術における地上デジタル放送のシステム構成図である。
【図２】本発明における地上デジタル放送のシステム構成図である。
【図３】本発明のシステムにおけるシーケンス図である。
【図４】本発明における携帯端末の機能構成図である。
【図５】本発明における選局情報サーバの機能構成図である。
【発明を実施するための形態】
【００２６】
以下、本発明の実施の形態について、図面を用いて詳細に説明する。
【００２７】
図２は、本発明における地上デジタル放送のシステム構成図である。
【００２８】
図２によれば、図１と比較して、端末１は、携帯電話機である場合、携帯電話基地局５１を介して携帯電話網５に接続することができる。携帯電話網５は、インターネット６に相互接続されており、そのインターネット６には、選局情報サーバ４が接続されている。携帯端末１は、携帯電話網５及びインターネット６を介して選局情報サーバ４と通信することができる。
【００２９】
選局情報サーバ４は、位置に基づいて、端末１によって視聴可能な放送データのチャネル番号を蓄積する。「チャネル」とは、放送チューナ部１０１で選局された物理チャネルである。ワンセグ放送の場合、ＵＨＦ帯４７０ＭＨｚ〜７７０ＭＨｚにおける５０チャネル（１３〜６２）が使用可能となる。
【００３０】
また、端末１は、ＧＰＳ(Global Positioning System)衛星７からの測位電波を受信することによって、測位することができる。端末１が携帯電話機である場合、測位機能は一般的に搭載されている。
【００３１】
更に、エリア限定ワンセグ放送局３を運営管理する放送事業者が、Ｗｅｂサーバ８をインターネット６に接続することも好ましい。これによって、ユーザによって操作される端末は、放送データを受信すると共に、その放送データに連携したＷｅｂ情報をインターネット６を介して受信することができる。
【００３２】
図３は、本発明のシステムにおけるシーケンス図である。
【００３３】
図３によれば、端末１は、携帯端末であって、複数の地上デジタル放送局からの放送データを受信する放送チューナ部と、現在位置を測位する測位部とを有する。
（Ｓ３０１）第１の携帯端末が、ワンセグチューナ（放送チューナ部）とそのワンセグチューナを制御するチューナアプリケーションとを起動する。これら起動動作は、ユーザの操作に基づくものであってもよいし、選局情報サーバ４からの特定信号を受信したことに基づくものであってもよい。例えば、第１の携帯端末が、携帯電話機である場合、選局情報サーバ４から携帯電話網における電子メール又はショートメールを受信することによって、これら起動動作が実行されるものであってもよい。
【００３４】
（Ｓ３０２）第１の携帯端末が、チューナアプリケーションによって、ワンセグチューナを用いて、現在位置で受信可能な放送データをスキャンする。ここで、第１の携帯端末は、広域ワンセグ放送局に限られず、エリア限定ワンセグ放送局からの放送データもスキャンする。
【００３５】
また、第１の携帯端末は、放送チューナ部を用いて、フォアグラウンドで、ユーザによって選択された所望チャネルの地上波信号に同調して受信し且つ再生すると共に、バックグラウンドで、現在位置で受信可能なチャネルをスキャンすることも好ましい。ユーザは、現在位置について、エリア限定ワンセグ放送局からの放送データを受信できるか否かを知らないために、エリア限定ワンセグ放送局に同調させることはしないからである。
【００３６】
（Ｓ３０３）第１の携帯端末は、ＧＰＳ衛星からの測位電波を受信し、現在位置を測位する。
【００３７】
（Ｓ３０４）第１の携帯端末が、測位された現在位置と、スキャンできた放送データのチャネル番号及び／又はスキャンできなかった放送データのチャネル番号とを含むスキャン情報を、選局情報サーバ４へ送信する。スキャン情報は、例えば以下のようなデータ構造を有する。
【表１】
2011182273.tif 000003
【００３８】
テーブル１は、位置に基づいて、スキャンできた放送データのチャネル番号及び／又はスキャンできなかった放送データのチャネル番号を記憶する。テーブル２は、位置毎に、チャネル番号について、通知時刻、受信強度及びワンセグ関連情報を記憶する。
【００３９】
（Ｓ３０５）選局情報サーバ４は、位置に基づいて、複数の選局情報を蓄積する。選局情報サーバ４は、例えば以下のようなデータ構造を有する。
【表２】
2011182273.tif 000004
【００４０】
「通知時刻」について、一定期間以上、スキャンされなかったチャネル番号は、そのエリア限定ワンセグ放送は、廃止又は停止されたものとして、スキャンされなかったチャネル番号として扱う。「受信強度」について、受信強度が弱くても、そのチャネル番号のワンセグ放送局が存在することは認められる。「ワンセグ関連情報」について、端末を操作するユーザは、そのワンセグ放送局に関連する様々な情報を、例えばＷｅｂサーバから取得することもできる。
【００４１】
（Ｓ３０６）選局情報サーバ４は、位置に基づいて受信可能な放送データのチャネル番号を含む選局情報を送信する。図３によれば、第２の端末が、選局情報サーバ４から選局情報を受信している。
【００４２】
選局情報は、携帯電話網におけるＢＣＭＣＳ(Broadcast/Multicast Services)によって送信されることも好ましい。ＢＣＭＣＳとは、基地局から、エリア内の多くの端末に同時に情報を送信する「同報通信」技術をいう。
【００４３】
ＢＣＭＣＳは、３Ｇ携帯電話機の規格「CDMA2000 1xEV-DO Rev.0」に含まれる技術である。下りリンクにＴＤＭ(Time Division Multipling：時分割多重)によって、約４００ｋｂｐｓ程度の伝送速度を有する。尚、将来的に、ＯＦＤＭによって、約１．５Ｍｂｐｓ程度の伝送速度が可能となる。例えば、ニュースや天気予報のような情報がＢＣＭＳＣによって定期的に配信されている。ＢＳＭＣＳによれば、１つの帯域で送信することによって、複数の端末が同時に受信することができる。
【００４４】
（Ｓ３０７）Ｓ３０６とは別のシーケンスとして、第２の携帯端末が、測位部によって測位された現在位置を含む選局情報要求を、ネットワークを介して選局情報サーバ４へ送信するものであってもよい。この応答として、選局情報サーバから、位置に基づいて受信可能な放送データのチャネル番号を含む選局情報を受信することができる。
【００４５】
（Ｓ３０８）第２の端末は、選局情報に基づいて、当該位置に基づいて受信可能な放送データのチャネル番号を、ユーザインタフェースに明示する。ユーザは、第２の端末を操作することによって、現在位置について、エリア限定ワンセグ放送局からの放送データを受信できることを知ることができる。
【００４６】
（Ｓ３０９）更に、第２の端末は、選局情報に含まれる受信可能な放送データを、バックグラウンドでスキャンする。そして、スキャンできなかった放送データのチャネル番号を含むスキャン情報を、更に、選局情報サーバ４へ送信する。これによって、過去時点では、その位置で特定の放送データを受信できたものの、現在時点では、その位置でその放送データを受信できない場合、選局情報サーバ４が選局情報を更新することができる。
【００４７】
図４は、本発明における携帯端末の機能構成図である。
【００４８】
端末１が、携帯端末（又は携帯電話機）である場合、地上デジタル放送局は、広域ワンセグ放送局及びエリア限定ワンセグ放送局である。携帯端末１は、放送チューナ部１０１と、無線通信インタフェース１０２と、測位部１０３と、ユーザインタフェース部１０４とを有する。これら構成部は、例えば既存の携帯電話機によれば一般的に備えているものが多い。
【００４９】
放送チューナ部１０１は、地上デジタル放送局からの放送データを受信する。放送チューナ部１０１は、ユーザによって選局されたチャネルに基づく放送データを受信する。また、放送チューナ部１０１は、チューナアプリケーションの制御に基づいて、チャネルを自動的に順次切り替え、受信可能な放送データをスキャンすることができる。例えば携帯電話機である場合、放送チューナ部１０１は、ワンセグチューナであってもよい。尚、放送チューナ部１０１が、ダブルチューナである場合、一方のチューナでユーザ所望チャネルの放送データを受信し、他方のチューナで他のチャネルをスキャンすることができる。
【００５０】
無線通信インタフェース１０２は、無線リンクを介してアクセスネットワーク（携帯電話網５）に接続し、インターネット６に接続することができる。端末１が携帯電話機である場合、無線通信インタフェース１０２は、携帯電話インタフェースであって、携帯電話基地局５１と通信する。
【００５１】
測位部１０３は、ＧＰＳ衛星７からの測位電波を受信し、端末の現在位置を測位する。尚、測位部１０３は、４つ以上のＧＰＳ衛星７からの測位電波を受信することによって、高度を含む３次元的位置情報を取得するものであってもよい。また、測位部１０３は、測位電波を受信できない場合、携帯電話基地局５１からの電波に含まれる基地局識別子によって現在位置を特定するものであってもよい。更に、測位部１０３は、建物内又は地下街のような場所であっても、アクセスポイントからの電波に含まれる局識別子によって現在位置を特定するものであってもよい。また、アクセスポイントからの電波に、建物情報と階層情報とが含まれることによって、測位部１０３は、位置だけでなく、建物及び階層を特定することも好ましい。
【００５２】
ユーザインタフェース部１０４は、ディスプレイによってユーザに対して選局可能なチャネルを明示すると共に、キーによってユーザから操作を受け付ける。
【００５３】
図４によれば、携帯端末１は、チューナ起動部１１１と、チューナアプリケーション１１２と、選局情報受信部１１３と、選局情報要求送信部１１４と、スキャン情報送信部１１５と、チャネル番号明示部１１６と、選択情報記憶部１１７と、位置判定部１１８とを有する。これら機能構成部は、端末に搭載されたコンピュータを機能させるプログラムを実行することによって実現される。
【００５４】
チューナ起動部１１１は、ユーザインタフェース部１０４に対するユーザの操作に応じて、放送チューナ部１０１及びチューナアプリケーション１１２を起動する。また、チューナ起動部１１１は、選局情報サーバ４から、チューナ起動を意味する特定信号を受信することによってチューナの起動動作を実行するものであってもよい。
【００５５】
また、チューナ起動部１１１は、自動起動を実行する前に、ユーザに対するディスプレイにその旨を表示するものであってもよい。ユーザによってボタン押下による許可操作がなされた際に、自動起動を実行する。
【００５６】
チューナアプリケーション１１２は、放送チューナ部１０１を制御し、現在位置で受信可能な放送データをスキャンする。また、チューナアプリケーション１１２は、選局情報受信部１１３から、選局可能なチャネル番号を入力した場合、それらチャネル番号についてスキャンを開始する。
【００５７】
チューナアプリケーション１１２は、放送チューナ部１０１を用いて、フォアグラウンドで、ユーザによって選択された所望チャネルの地上波信号に同調して受信し且つ再生すると共に、バックグラウンドで、現在位置で受信可能なチャネルをスキャンするものであってもよい。放送チューナ部１０１がダブルチューナである場合、一方をフォアグラウンドに割り当て、他方をバックグラウンドに割り当てることもできる。
【００５８】
例えば、ユーザが携帯端末１を用いてＮＨＫ総合・東京（２７チャネル）を選局し且つ視聴している際に、チューナアプリケーション１１２は、２８チャネルから順次スキャンを開始する。例えばエリア限定ワンセグ放送局（３７チャネル）からの放送データを、途中で検知することができる。
【００５９】
更に、チューナアプリケーション１１２は、スキャンできた放送データに含まれる「放送局名」や「Ｗｅｂサイトアドレス」を取得することも好ましい。取得されたチャネル番号、放送局名及び／又はＷｅｂサイトアドレスは、スキャン情報送信部１１５へ出力される。ここで、Ｗｅｂサイトアドレスは、例えば、エリア限定ワンセグ放送局の放送事業者によって運用管理されるＷｅｂサイトであって、放送データに関するホームページのアドレスである。
【００６０】
選局情報受信部１１３は、選局情報サーバ４から、位置に基づいて受信可能な放送データのチャネル番号を含む選局情報を受信する。選局情報は、ＢＣＭＣＳによって受信する場合、複数の位置に基づくチャネル番号を含む。選局情報は、チューナアプリケーション１１２へ出力される。
【００６１】
選局情報要求送信部１１４は、測位部１０３によって測位された現在位置を含む選局情報要求を、選局情報サーバ４へ送信する。これに対し、選局情報受信部１１３によって選局情報サーバ４から選局情報を受信することができる。このとき、選局情報は、例えば電子メール又はショートメールによって受信されるものであってもよい。
【００６２】
尚、選局情報要求送信部１１４は、選局情報要求に、測位部１０３によって測位した位置情報を含めることなく、ユーザによってテキスト入力された、住所、駅名やランドマーク等の文字を含めるものであってもよい。これに対して、選局情報サーバ４は、そのテキストに基づいて位置を特定し、選択情報を返信する。
【００６３】
スキャン情報送信部１１５は、測位された現在位置と、スキャンできたチャネルのチャネル番号及び／又はスキャンできなかったチャネルのチャネル番号とを含むスキャン情報を、選局情報サーバ４へ送信する。
【００６４】
また、スキャン情報送信部１１５は、スキャンしたチャネルについて一定の信号強度で受信されたけれども、放送データを受信できなかった場合、その旨の情報もスキャン情報に含める。エリア限定ワンセグ放送局の存在は認められるものの、他の影響によって放送データを受信できていないからである。
【００６５】
更に、スキャン情報送信部１１５は、スキャンできた時刻又はスキャンできなかった時刻も、スキャン情報に含めることも好ましい。過去時刻ではエリア限定ワンセグ放送局からの放送データを受信できたとしても、現在時刻ではその運用が停止され、放送データを受信できない場合もあるからである。
【００６６】
尚、実際の運用上、スキャン情報は、既存のユーザデータに対する有料のパケット従量制とは別に、無料となるパケットとして送信されることが好ましい。スキャン情報は、他の端末に対する選局誘導情報として利用されるものだからである。
【００６７】
チャネル番号明示部１１６は、選局情報に基づいて、当該位置に基づいて受信可能な放送データのチャネル番号を、ユーザインタフェースに明示する。このとき、ナビゲーションサービスや地図情報検索サービスと連携させ、地図上に、チャネル番号を明示するものであってもよい。
【００６８】
また、チャネル番号明示部１１６は、エリア限定ワンセグ放送局のチャネル番号のみを明示するのか、又は、エリア限定ワンセグ放送局及び広域ワンセグ放送局の両方のチャネル番号の明示するのかは、事前設定によって選択される。更に、小さいチャネル番号から順に明示するものであってもよいし、受信強度が最も強いチャネル番号から順に明示するものであってもよい。
【００６９】
チャネル番号明示部１１６は、エリア限定ワンセグ放送局のチャネル番号を新たに明示する場合、ポップアップウィンドを表示させ、お知らせ音を鳴動させることも好ましい。ユーザインタフェース部１０４に対するユーザの操作によって、いずれかのチャネル番号が選択される。尚、エリア限定ワンセグ放送局のチャネル番号を新たに明示する場合、事前設定によって、ユーザに問い合わせることなく、自動的にその放送データの受信動作を実行するものであってもよい。
【００７０】
選択情報記憶部１１７は、選択情報サーバ４から受信した選択情報を記憶する。
【００７１】
位置判定部１１８は、測位部１０３によって測位された現在位置が、選択情報記憶部１１７に記憶された位置を中心とする所定範囲に含まれる場合、チューナ起動部１１１へ起動要求を出力する。
【００７２】
図４に基づいて前述した携帯端末は、ユーザによって操作される端末として説明した。一方で、固定的に設置されたモニタ端末であってもよい。モニタ端末が、全国の任意のポイントに設置され、一定時間毎に、スキャン情報を、ネットワークを介して選局情報サーバ４へ送信する。モニタ端末の場合、位置は固定的となる。また、モニタ端末は、ハードウェア的に放送チューナ部１０１及び通信インタフェース１０２を有し、ソフトウェア的に常に起動しているチューナアプリケーション１１２及びスキャン情報送信部１１５を有する。
【００７３】
図５は、本発明における選局情報サーバの機能構成図である。
【００７４】
図５によれば、選局情報サーバ４は、通信インタフェース４０と、スキャン情報受信部４１と、選局情報記憶部４２と、選局情報要求受信部４３と、選局情報送信部４４とを有する。これら機能構成部は、サーバに搭載されたコンピュータを機能させることによって実現される。
【００７５】
通信インタフェース４０は、インターネット６に接続されており、端末１と通信する。
【００７６】
スキャン情報受信部４１は、端末１から、測位された現在位置と、スキャンできた放送データのチャネル番号及び／又はスキャンできなかった放送データのチャネル番号とを含むスキャン情報を受信する。受信したスキャン情報は、選局情報記憶部４２へ出力する。
【００７７】
選局情報記憶部４２は、図３のＳ３０５に記述されたと同様に、選局情報を記憶する。
【００７８】
選局情報要求受信部４３は、端末１から、測位された現在位置を含む選局情報要求を受信する。選局情報要求受信部４３は、選局情報記憶部４２へその位置を出力し、選局情報記憶部４２がチャネル番号を出力するべく指示する。
【００７９】
選局情報送信部４４は、選局情報記憶部４２に記憶された、位置に基づくチャネル番号を含む選局情報を、端末１へ送信する。ここで、選局情報要求を受信した場合、その選局情報要求に含まれる位置のみに基づくチャネル番号を含む選局情報を、端末１へ送信する。
【００８０】
尚、前述したように、端末を所持するユーザにとっては、位置に基づく選局情報は、選局可能なチャネル番号を知るために有効である。一方で、エリア限定ワンセグ放送局を開設し且つ送信する事業者にとっても、選局情報は有効である。本発明によれば、放送事業者は、自局の送信エリア内で及び時間帯で、他局との間で影響が発生しないように、重複しないチャネル番号を選択することができる。従って、端末は、ユーザによって所持される端末に限られず、放送事業者によって所持される端末であってもよい。どのような端末であっても、選局情報要求を選局情報サーバ４へ送信することによって、位置に応じた選局情報を受信することができる。
【００８１】
以上、詳細に説明したように、本発明の放送選局方法、端末、サーバ及びプログラムによれば、エリア限定ワンセグのような小規模範囲に限定された放送チャネルであっても、端末を操作するユーザに対して選局を誘導することができることができる。
【００８２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８３】
１  携帯端末
１０１  放送チューナ部
１０２  無線通信インタフェース
１０３  測位部
１０４  ユーザインタフェース部
１１１  チューナ起動部
１１２  チューナアプリケーション
１１３  選局情報受信部
１１４  選局情報要求送信部
１１５  スキャン情報送信部
１１６  チャネル番号明示部
２  地上デジタル放送局、広域ワンセグ放送局
３  エリア限定ワンセグ放送局
４  選局情報サーバ
４０  通信インタフェース
４１  スキャン情報受信部
４２  選局情報記憶部
４３  選局情報要求受信部
４４  選局情報送信部
５  携帯電話網
５１  携帯電話基地局
６  インターネット
７  ＧＰＳ衛星
８  Ｗｅｂサーバ
【図１】
2011182273.tif 000005
【図２】
2011182273.tif 000006
【図３】
2011182273.tif 000007
【図４】
2011182273.tif 000008
【図５】
2011182273.tif 000009